(57)【要約】【課題】対象物が隣接して配置され同時に複数の識別情報を取得した場合でも、端末を用いて対象物を正確に特定することができる対象物選択方法を提供する。【解決手段】対象物に関する情報を取得するために、端末装置７０を用いて対象物６０を選択する対象物選択方法において、３次元表示手段を備える端末装置７０で、無線通信により複数の対象物の識別子を取得し、対応する対象物の形状情報及び位置情報を対象物情報ＤＢ６２から取得して、これらの対象物を３次元表示手段に表示し、３次元表示した複数の対象物の中からユーザが選択した対象物の識別子を端末装置から情報提供装置９０に出力する。複数の対象物６０が隣接して配置されていても、端末装置を用いて対象物を正確に特定できる。【選択図】      図１
2004152099.tif 000002
【特許請求の範囲】
【請求項１】
対象物に関する情報を取得するため、端末装置を用いて対象物を選択する対象物選択方法であって、
３次元表示手段を備える端末装置が、複数の対象物の識別子、形状情報及び位置情報を取得して、前記対象物を３次元表示手段に表示し、３次元表示した複数の対象物の中からユーザが選択した対象物の識別子を端末装置から出力することを特徴とする対象物選択方法。
【請求項２】
前記複数の対象物の形状情報及び位置情報が対象物情報データベースに蓄積されており、前記対象物に、識別子を記録した非接触情報伝達媒体が付されており、前記端末装置は、前記対象物からその識別子を取得し、前記３次元表示手段に表示する対象物の形状情報及び位置情報を前記対象物情報データベースから取得することを特徴とする請求項１に記載の対象物選択方法。
【請求項３】
３次元表示手段を備える端末装置で、前記対象物情報データベースに蓄積された対象物を３次元表示し、ユーザが修正した前記対象物の表示位置に基づいて、前記対象物情報データベースに蓄積する前記対象物の位置情報を補正することを特徴とする請求項２に記載の対象物選択方法。
【請求項４】
視点位置情報を格納した非接触情報伝達媒体が操作場所の近傍に付されており、３次元表示手段を備える前記端末装置は、視点位置情報を加味した上で対象物を３次元表示することを特徴とする請求項２に記載の対象物選択方法。
【請求項５】
対象物を特定するための端末装置であって、
対象物に付された非接触情報伝達媒体から対象物の識別子を取得する対象物識別子受信手段と、
対象物情報データベースに蓄積された対象物の形状情報及び位置情報を取得する対象物情報受信手段と、
前記識別子、形状情報及び位置情報を用いて対象物を３次元表示する対象物３次元表示手段と、
前記対象物３次元表示手段により３次元表示された対象物の中から操作者の操作に基づいて対象物を選択する対象物選択手段と
を備え、選択された対象物の識別子を出力することを特徴とする端末装置。
【請求項６】
対象物の位置情報を特定するための端末装置であって、
対象物形状データベースに蓄積された対象物の形状情報を取得する対象物形状情報受信手段と、
前記形状情報を用いて対象物を３次元表示する対象物３次元表示手段と、
前記対象物３次元表示手段により３次元表示されている対象物の表示位置を操作者の操作に基づいて補正する対象物位置データ修正手段と
を備え、表示位置が補正された対象物の位置情報を前記対象物情報データベースに出力することを特徴とする端末装置。
【請求項７】
対象物を特定するための端末装置であって、
対象物に付された非接触情報伝達媒体から対象物の識別子を取得する対象物識別子受信手段と、
対象物情報データベースに蓄積された対象物の形状情報及び位置情報を取得する対象物情報受信手段と、
端末装置の操作場所の近傍に付された非接触情報伝達媒体から、操作場所の視点位置情報を取得する視点位置情報受信手段と、
前記識別子、形状情報、位置情報及び視点位置情報を用いて対象物を３次元表示する対象物３次元表示手段と、
前記対象物３次元表示手段により３次元表示された対象物の中から操作者の操作に基づいて対象物を選択する対象物選択手段と
を備え、選択された対象物の識別子を出力することを特徴とする端末装置。
【発明の詳細な説明】
【０００１】
【発明の属する技術分野】
本発明は、情報を取得しようとする対象物を端末から選択するための方法と、その方法を実施するための装置に関し、特に、対象物が隣接して配置されている場合でも対象物を的確に特定できるようにしたものである。
【０００２】
【従来の技術】
最近、「ユビキタスネットワーク技術の将来展望に関する調査研究会」（総務省）から、次世代の情報通信社会に関する調査研究の概要が報告された（下記非特許文献１）。「ユビキタス」とは、“いたるところに存在する”という意味のラテン語で、「ユビキタスネットワーク」は、多様な情報通信インフラをシームレスに接続することにより、空間的・地理的制約を受けずに、利用者がどこにいても、その場で必要な情報通信を利用することができる、将来の情報通信が目指す理想像を表している。
【０００３】
ユビキタスネットワークでは、ネットワークに接続して情報をやりとりする利用者端末機器の範囲が格段に広がると考えられており、ＰＣ（パーソナルコンピュータ）やＰＤＡ（Ｐｅｒｓｏｎａｌ  Ｄｉｇｉｔａｌ  Ａｓｓｉｓｔａｎｃｅ）、携帯電話等の機器はもちろんのこと、次世代テレビや情報家電、更には、通信機能を搭載したチップデバイスを用いて、テーブルや椅子、照明器具、自動車、衣類、装飾品、看板・広告等、身の回りの多くのものがネットワークに接続し、用途に合わせた情報通信によってより便利な機能を提供するようになると予想されている。
【０００４】
こうしたユビキタスネットワーク社会を志向するシステムの一例が下記特許文献１に開示されている。このシステムは、利用者の商品購入を支援するシステムであり、図１０に示すように、店舗内に陳列された各商品に対応して設けられた無線装置１０〜１ｎと、この無線装置の各々がＬＡＮ４０で接続する店舗端末３０と、利用者が携帯するユーザ携帯端末２０と、店舗端末３０が接続するインターネット等のネットワーク５０とから成る。
各無線装置１０〜１ｎは、ユーザ携帯端末２０との間でＢｌｕｅｔｏｏｔｈ規格に準拠した無線通信を行い、また、店舗端末３０との間でＬＡＮ４０による通信を行う送受信部１０１と、送受信する情報を制御する制御部１０２と、自装置の識別情報を記憶する記憶部１０３とを備えている。
【０００５】
また、ユーザ携帯端末２０は、Ｗｅｂ閲覧機能やＢｌｕｅｔｏｏｔｈ規格の無線通信機能を搭載した携帯電話機等の情報処理装置であり、各無線装置１０〜１ｎとの間で通信を行い、また、店舗端末３０との間でネットワーク５０を介した通信を行う無線送受信部２１と、商品価格等の商品情報を要求する信号を送出する商品情報要求手段２２と、目的の商品の陳列場所を知りたい場合に、最寄りの無線装置１０〜１ｎに対して商品場所要求信号を送出する商品場所要求手段２３と、受信した商品情報等を記憶する記憶部２４と、受信した商品情報や商品注文画面と商品場所を示す店舗レイアウト等を表示する表示部２５とを備えている。
【０００６】
また、店舗端末３０は、店舗に設置されたワークステーション・サーバ等の情報処理装置であり、無線装置識別番号や商品情報が蓄積されたデータベース３４と、このデータベース３４から商品情報を検索する商品情報検索手段３１と、データベース３４から商品場所を検索する商品場所検索手段３２と、注文情報が蓄積されるデータベース３５と、注文を受け付け、その情報を注文情報データベース３５に格納する注文受付手段３３とを備えている。
【０００７】
このシステムでは、来店した利用者が、購入しようとしている商品に対応して設けられている無線装置１０〜１ｎにユーザ携帯端末２０を近づけて商品情報要求手段２２を操作し、商品情報要求信号を発信する。無線装置１０は、ユーザ携帯端末２０からの商品情報要求信号を感知すると、記憶部１０３で予め格納している無線装置識別番号とともに商品情報要求信号を店舗端末３０に送信する。店舗端末３０では、商品情報検索手段３１が、無線装置識別番号に基づいて無線装置識別番号／商品情報データベース３４を検索し、得られた商品情報が無線装置１０を介してユーザ携帯端末２０に送信される。
【０００８】
この商品情報は、ユーザ携帯端末２０の表示部２５に表示される。利用者は、商品を購入する場合に、表示部２５に表示された入力画面に注文者情報を入力する。この情報は、ユーザ携帯端末２０から店舗端末３０に送られ、注文受付手段３２で受け付けられて無線装置識別番号／商品情報データベース３４に格納され、この情報に基づいて商品発送の処理が行われる。
また、利用者は、取得した商品情報をユーザ携帯端末２０の記憶部２４に登録し、自宅に戻って再度相談や考慮の後に、店舗端末３０のホームページにアクセスして商品を注文することもできる。
【０００９】
【特許文献１】
特開２００２−１９００６５号公報
【００１０】
【非特許文献１】
２００２年６月２７日「（総務庁）ユビキタスネットワーク技術の将来展望に関する調査研究会」（報告概要）、インターネット＜ＵＲＬ：ｈｔｔｐ：／／ｗｗｗ．ｓｏｕｍｕ．ｇｏ．ｊｐ／ｊｏｈｏ＿ｔｓｕｓｉｎ／ｐｏｌｉｃｙｒｅｐｏｒｔｓ／ｃｈｏｕｓａ／ｙｕｂｉｋｉｔａｓｕ／０２０６１１＿２．ｈｔｍｌ＃ＴＯＰ＞
【００１１】
【発明が解決しようとする課題】
しかし、このようにユーザ携帯端末と無線装置との通信を契機に情報を交換するシステムでは、複数の無線装置が近くに配置されていると、ユーザ携帯端末から送信された商品情報要求信号が隣接する無線装置で受信され、利用者の意図しない商品情報がユーザ携帯端末に送られて来るおそれがある。
前記特許文献では、こうした不都合を回避するため、約１００ｍの距離まで送受信が可能なＢｌｕｅｔｏｏｔｈ規格の通信距離を２０〜３０ｃｍ以内に調整し、商品の間隔を１ｍに設定することを提案しているが、この場合には、商品の展示効率が著しく低下する。また、商品展示間隔の短縮を図るために通信距離をさらに短くすると、利用者が商品情報に近づかない限りユーザ携帯端末から無線装置に信号が届かないという問題が発生する。
【００１２】
本発明は、こうした従来の問題点を解決するものであり、対象物が隣接して配置されている場合であっても、端末を用いて対象物を正確に特定することができる対象物選択方法を提供し、また、その方法を実施するための装置を提供することを目的としている。
【００１３】
【課題を解決するための手段】
そこで、本発明では、対象物に関する情報を取得するために、端末装置を用いて対象物を選択する対象物選択方法において、３次元表示手段を備える端末装置で、複数の対象物の識別子、形状情報及び位置情報を取得して、これらの対象物を３次元表示手段に表示し、３次元表示した複数の対象物の中からユーザが選択した対象物の識別子を端末装置から出力するようにしている。
【００１４】
また、対象物に識別子を記録した非接触情報伝達媒体を付与し、複数の対象物の形状情報及び位置情報を対象物情報データベースに蓄積し、端末装置は、複数の対象物の識別子を無線通信手段により直接対象物より取得し、３次元表示手段に表示する対象物の形状情報及び位置情報を対象物情報データベースから取得するようにしている。
【００１５】
また、３次元表示手段を備える端末装置で、対象物情報データベースに蓄積された対象物を３次元表示し、ユーザが修正した対象物の表示位置に基づいて、対象物情報データベースに蓄積する対象物の位置情報を補正するようにしている。また、端末装置を操作する場所に基づいて、対象物を操作者の視点に合わせて３次元表示するようにしている。
そのため、複数の対象物が隣接して配置されている場合でも、端末装置を用いて目的の対象物を正確に特定することができ、また、さまざまな位置から対象物を特定することができる。
【００１６】
また、本発明では、対象物を特定するための端末装置に、対象物に付された非接触情報伝達媒体から対象物の識別子を無線通信により取得する対象物識別子受信手段と、対象物情報データベースに蓄積された対象物の形状情報及び位置情報を取得する対象物情報取得手段と、この形状情報及び位置情報を用いて対象物を３次元表示する対象物３次元表示手段と、対象物３次元表示手段により３次元表示された対象物の中から操作者の操作に基づいて対象物を選択する対象物選択手段とを設け、選択された対象物の識別子を出力するように構成している。
この端末装置を用いることにより、複数の対象物が隣接して配置されている場合でも、目的の対象物を正確に特定することができる。
【００１７】
また、本発明では、対象物の位置情報を特定するための端末装置に、対象物形状データベースに蓄積された対象物の形状情報を取得する対象物形状情報受信手段と、この形状情報を用いて対象物を３次元表示する対象物３次元表示手段と、対象物３次元表示手段により３次元表示されている対象物の表示位置を操作者の操作に基づいて補正する対象物位置データ修正手段とを設け、表示位置が補正された対象物の位置情報を対象物情報データベースに出力するように構成している。
この端末装置を用いることにより、対象物情報データベースに蓄積された各対象物の位置情報を簡単に設定することができる。
【００１８】
また、本発明では、対象物を特定するための端末装置に、対象物に付された非接触情報伝達媒体から対象物の識別子を無線通信により取得する対象物識別子受信手段と、対象物情報データベースに蓄積された対象物の形状情報及び位置情報を取得する対象物情報取得手段と、端末装置を操作する位置の近傍に付された視点位置情報を取得する視点位置情報受信手段と、この形状情報、位置情報及び視点位置情報を用いて対象物を３次元表示する対象物３次元表示手段と、対象物３次元表示手段により３次元表示された対象物の中から操作者の操作に基づいて対象物を選択する対象物選択手段とを設け、選択された対象物の識別子を出力するように構成している。
この端末装置を用いることにより、端末装置を操作する位置を変えた場合でも、その位置に対応した３次元表示を行うことができ、目的の対象物を正確に特定することができる。
【００１９】
なお、この明細書では、端末装置と対象物データベースとの間の通信手段を「直接的通信手段」と呼ぶことにする。直接的通信手段には、ケーブルを用いた有線通信手段、ＩｒＤＡやＢｌｕｅｔｏｏｔｈ等による無線通信手段が含まれる。また、この明細書では、ＲＦＩＤタグやバーコード、２次元コードなどを「非接触情報伝達媒体」と呼ぶことにする。
【００２０】
【発明の実施の形態】
（第１の実施形態）
本発明の対象物選択方法では、対象物に識別子を記録した非接触情報伝達媒体が付されており、また、選択対象となる商品（対象物）の位置情報及び形状情報が対象物情報データベース（ＤＢ）に予め蓄積されており、携帯端末は、複数の対象物から識別子を取得し、対象物情報ＤＢから対応する対象物の形状情報及び位置情報を取得して、表示画面に選択対象の複数の商品を３次元表示し、この表示画面から操作者が特定の対象物を選択する。
【００２１】
図１は、この対象物選択方法を模式的に示している。
各商品６０には、商品の識別子が記録されたＲＦＩＤタグ６１が付されている。この商品６０の識別子、形状情報及び位置情報は、予め対象物情報ＤＢ６２に格納される。なお、対象物情報ＤＢ６２への情報の格納方法については、第２の実施形態で詳述する。
【００２２】
携帯端末７０は、無線通信手段を用いて対象物６０から識別子を取得し、対象物情報ＤＢ６２から各商品６０の形状情報と位置情報を受信して、各商品６０を表示画面上に３次元表示し、操作者は、３次元表示された商品の中から目的の商品をマウスやペンで選択する。図１では、携帯端末７０の表示画面上で商品Ａが選択された状態を示している。選択された商品Ａの識別子は、携帯端末７０から情報提供装置９０に通知される。情報提供装置９０は、商品の識別子に対応付けて蓄積している商品情報の中から、商品Ａの識別子に対応する商品情報を検索し、選択された商品Ａの名称や価格などの商品情報を提供する。
【００２３】
なお、商品情報の提供の仕方は任意であり、情報提供装置９０が広告機能を有する装置であれば、情報提供装置９０のディスプレー上に商品情報を表示しても良いし、また、選択された商品の商品情報を携帯端末７０に送り、携帯端末７０の表示画面上にそれを表示しても良い。また、対象物情報ＤＢ６２は、情報提供装置９０が備えていても良い。また、携帯端末７０と情報提供装置９０とが一体化された構成であっても良い。
こうした手順により、操作者が、携帯端末７０の表示画面に３次元表示された商品の中から目的の商品を選択すると、例えば、その商品の使い方を示す映像が表示されたり、その商品の注文画面が携帯端末に表示されたりすることになる。
【００２４】
図２は、この携帯端末７０における対象物特定のための構成ブロックを示している。対象物情報ＤＢ６２は、蓄積している対象物データを携帯端末７０に送信する対象物情報送信手段６３を具備している。携帯端末７０は、対象物情報送信手段６３から対象物データを受信する対象物情報受信手段７１と、受信した対象物データを一時蓄積する対象物情報バッファ７２と、対象物データを用いて対象物を３次元表示する対象物３次元表示手段７３と、３次元表示された対象物の中から操作者の操作に基づいて対象物を選択する対象物選択手段７４と、選択された対象物を情報提供装置に通知する選択対象物通知手段７５と、対象物に付された非接触情報伝達媒体から識別子を取得する対象物識別子受信手段７６とを備えている。
【００２５】
また、図３は、対象物を選択する動作を模式的に示している。
対象物情報ＤＢ６２には、図４に例示するように、対象物の識別子、対象物の位置を表わす位置情報、対象物のサイズや色などを含む形状情報から成る対象物データが予め蓄積されている（図３（ａ））。
位置情報及び形状情報は、３次元表示をするために必要な情報が含まれていればよく、例えば、３次元表示のための記述言語であるＶＲＭＬ（Ｖｉｒｔｕａｌ  ＲｅａｌｉｔｙＭｏｄｅｌｉｎｇ  Ｌａｎｇｕａｇｅ）で記述することもできる。
【００２６】
対象物識別子受信手段７６は、無線通信により複数の対象物に付されている非接触情報伝達媒体から、それぞれの識別子を受信する。
対象物情報送信手段６３及び対象物情報受信手段７１は、直接的通信手段である。対象物情報受信手段７１は、対象物識別子受信手段７６から送られた対象物の識別子を元に、対象物情報ＤＢ６２に蓄積された対象物データから該当する対象物の形状情報及び位置情報を取得し、対象物情報バッファ７２に格納する  （図３（ｂ））。
【００２７】
対象物３次元表示手段７３は、対象物情報バッファ７２に格納された対象物データを読み出し、対象物データに含まれる形状情報及び位置情報に基づき、対象物を３次元表示する処理を行う（図３（ｃ））。
操作者は、携帯端末７０の表示画面上で対象物を指定する（図３（ｄ））。このとき、例えば、タッチパネルで構成した携帯端末７０の画面上で、選択する対象物にペンをタッチさせて指定する。対象物３次元表示手段７３は、タッチされた位置に表示している対象物の識別子を選択対象物通知手段７５に伝え、選択対象物通知手段７５は、この識別子を情報提供装置９０に伝える（図３（ｅ））。
このように、この対象物選択方法では、複数の商品が隣接して配置されていても、あるいは、操作者の位置から見て、複数の商品が前後に重なって配置されていても、目的の対象物を的確に選択することが可能である。
【００２８】
なお、ここでは、対象物にＲＦＩＤタグを付す場合について説明したが、ＲＦＩＤタグの代わりに、バーコード等の非接触情報伝達媒体を対象物に付し、そのコードで表わされた識別子を読み取り手段で読み取って、携帯端末に取り込むようにしても良い。
また、３次元表示のための記述言語や処理系は種々知られており、本発明では、どのようなものでも使用可能である。
また、ここでは、表示画面上での対象物の指定方法として、タッチパネルとペンとを用いる場合について説明したが、それ以外の指定方法、例えば、マウスカーソルによる指定方法などでも構わない。
【００２９】
また、ここでは、携帯端末７０で対象物を選択する時点で、対象物情報ＤＢ６２に蓄積された対象物データを携帯端末７０に伝送する場合について説明したが、選択処理の前に、対象物情報ＤＢ６２から携帯端末７０に対象物データを取得しておいて、対象物情報ＤＢ６２と通信せずに、対象物選択時にそれを利用しても良い。
また、対象物情報ＤＢから携帯端末に対象物データを伝える直接的通信手段としてケーブルを用いた有線通信手段を利用することも可能である。
【００３０】
（第２の実施形態）
第２の実施形態では、対象物情報ＤＢへの対象物データの格納方法について説明する。
図５は、対象物情報ＤＢ６２に対象物データを格納する際の手順を模式的に示している。
まず、対象物の商品６０に、その商品の識別子を記録したＲＦＩＤタグ６１を貼り付ける（図５（ａ））。この識別子は、製品を作成した製造者が製品を作成した時点で製品に付すようにしても良い。
【００３１】
次に、この商品６０を展示台６４に配置する（図５（ｂ））。
次いで、ＲＦＩＤリーダを用いて、全ての対象物６０のＲＦＩＤタグ６１に記録されている識別子を読み取り、対象物情報ＤＢ６２に格納する（図５（ｃ））。こうして、対象物情報ＤＢ６２には、識別子情報が格納される。
次に、位置補正用の端末を用いて、対象物情報ＤＢ６２に格納された対象物データの形状情報及び位置情報を設定または修正する。
【００３２】
この位置補正用端末８０は、図６に示すように、対象物情報ＤＢ６２の対象物情報送受信手段６６との間で対象物データを送受信する対象物情報送受信手段８１と、受信した対象物データを一時蓄積する対象物情報バッファ８２と、対象物データを用いて対象物を３次元表示する対象物３次元表示手段８３と、３次元表示された対象物の位置情報を操作者の操作に基づいて補正する対象物位置データ修正手段８４と、対象物の形状データを取得する対象物形状情報受信手段８５とを備えている。
【００３３】
位置補正用端末８０の対象物情報送受信手段８１は、対象物情報ＤＢ６２に格納された対象物データを対象物情報送受信手段６６を通じて受信し、対象物情報バッファ８２に格納する。新規に対象物ＤＢ６２に対象物データを設定する場合には識別子のみを対象物バッファ８２に格納する。また、既存の対象物情報ＤＢ６２を修正する場合には、対象物データとして識別子、形状情報、位置情報を受信し、対象物情報バッファ８２にはそれら全ての対象物データを格納する。
【００３４】
次に、識別子に対応した形状情報を格納した対象物形状ＤＢ６５から該当する対象物の形状情報を取得する（図５（ｄ））。対象物形状ＤＢ６５には、図７に例示するように、対象物の識別子とその形状情報とが予め蓄積されている。対象物形状情報受信手段８５は、対象物情報バッファ８２に格納されている識別子を参照し、対象物形状ＤＢ６５から対応する対象物の形状データを取得し対象物情報バッファ８２に格納する。新規に対象物情報ＤＢ６２を作成する場合には、この時点で位置情報を除くその他のデータに関して、図４と同様の対象物データが対象物情報バッファ８２に格納される。なお、既存の対象物情報ＤＢを修正する場合には、対象物情報送受信手段８１により、対象物情報バッファ８２に形状情報が格納されているが、対象物形状情報受信手段８５は該当の対象物の形状情報を上書きする。
【００３５】
対象物３次元表示手段８３は、対象物情報バッファ８２に格納された対象物データを読み出し、第１の実施形態と同様に、対象物を３次元表示する（図５（ｅ））。しかし、新規に対象物情報ＤＢ６２を作成する場合には、対象物データの位置情報データには対象物の位置情報が設定されていないので、位置補正用端末８０の表示画面には、実際の対象物６０の配置と異なる状態で対象物が３次元表示される。このときの配置は、任意の手順で決定してよく、例えば、対象物の識別子順に左から配置するなどの手順が考えられる。既存の対象物情報ＤＢ６２を修正する場合には、対象物情報バッファ８２に格納された対象物の位置情報を基に３次元表示する。
【００３６】
操作者は、タッチパネル上に３次元表示されている対象物６０をペンで指定してドラッグし、実際の展示台６４上に見える対象物６０の配置と表示画面の３次元表示とが一致するように、対象物６０の位置を変更する（図５（ｆ））。
対象物位置データ修正手段８４は、対象物情報バッファ８２に格納されている操作者により位置が修正された対象物の位置情報を更新する。対象物情報送受信手段８１は、修正された対象物データを対象物情報ＤＢ６２に送信し、対象物情報ＤＢ６２に図４の対象物データが格納される（図５（ｇ））。
【００３７】
このように、この方法では、配置した対象物に貼り付けられたＲＦＩＤタグから、対象物の識別子を取り込み、対応する形状情報を対象物形状ＤＢから対象物情報ＤＢに取り込むとともに、その対象物の位置情報を位置補正端末で設定または修正して対象物情報ＤＢに取り込むことにより、対象物データを簡単に蓄積することができる。
【００３８】
なお、ここでは、対象物にＲＦＩＤタグを付す場合について説明したが、ＲＦＩＤタグの代わりに、バーコード等の非接触情報伝達媒体を対象物に付し、そのコードで表わされた識別子を読み取り手段で読み取って、対象物情報ＤＢに取り込むようにしても良い。また、対象物の識別子を対象物情報ＤＢに入力するには、その他の方法、例えばデータを直接入力するような方法によっても可能である。
また、ここでは、３次元表示された対象物の位置の修正を、タッチパネル上でペンを操作して行う場合について示したが、例えば、マウスカーソルなどを用いる、それ以外の方法でも構わない。
【００３９】
（第３の実施形態）
第３の実施形態では、操作者の視点を加味し、対象物を選択する方法を説明する。
図８は、操作者の視点を加味し、対象物を選択する方法を模式的に示している。商品６０、ＲＦＩＤタグ６１、対象物情報ＤＢ６２及び情報提供装置９０は、第１の実施形態と同様のデータと機能とを持つ。ＲＦタグ１１１は、操作者が対象物を見る可能性のある位置に予め付され、その場所に対応した視点位置情報を格納してある。携帯端末１１０は、第１の実施形態と同様に、ＲＦタグ６１及び対象物ＤＢ６２から３次元表示に必要な識別子、形状情報及び位置情報を取得する。さらに携帯端末１１０は、ＲＦタグ１１１から視点位置情報を取得し、視点位置情報を加味した上で、３次元表示を行う。３次元表示を行った後の対象物選択の手順は第１の実施形態と同様である。
こうした手順により、操作者が移動した場合であっても、対象物を操作者の視点に対応して表示し、選択ができるようになる。
【００４０】
図９は、この携帯端末１１０における対象物特定のための構成ブロックを示している。対象物情報ＤＢ６２、対象物情報送信手段６３、対象物情報受信手段７１、対象物情報バッファ７２、対象物選択手段７４、選択対象物通知手段７５及び対象物識別子受信手段７６は、第１の実施形態の携帯端末７０の構成と同様である。視点位置情報受信手段７７は、ＲＦタグ１１１から操作者の視点に対応した視点位置情報を受信する。視点位置情報は、対象物情報ＤＢ６２に格納される対象物の位置情報と同等の形式を持つ。対象物３次元表示手段７８は、対象物情報バッファ７２に格納されている位置情報に対して、視点位置情報受信手段から取得した視点位置情報を原点とする座標系に変換する演算により、操作者の視点に対応した相対的な３次元表示する処理を行う。これ以降の処理は第１の実施形態と同様である。
【００４１】
このように、この対象物選択方法では、操作者が対象物を見る位置に対応した視点位置情報を加味することにより、さまざまな角度から対象物を見る場合でも適切に３次元表示することができ、より的確に目的の対象物を選択することが可能である。
なお、ここでは視点位置情報をＲＦタグに格納する方法について説明したが、それ以外の記憶媒体たとえばバーコード等の非接触情報伝達媒体を用いて視点位置情報を格納しておいても良い。
【００４２】
【発明の効果】
以上の説明から明らかなように、本発明の対象物選択方法では、対象物が隣接して、あるいは、前後に重なって配置されている場合でも、端末を用いて対象物を正確に特定することができる。
また、端末に各対象物の形状情報及び位置情報を提供する対象物情報データベースを簡単に生成することができる。
【００４３】
また、端末を操作する位置を変更した場合でも、対象物を正確に特定することができる。
また、本発明の端末装置は、複数の対象物が隣接して配置されている場合でも、目的の対象物を正確に特定することを可能にし、また、対象物の位置情報を簡単に設定することを可能にする。また、端末を操作する位置を変更した場合でも目的の対象物を正確に特定することを可能にする。
【図面の簡単な説明】
【図１】本発明の第１の実施形態における対象物選択方法を模式的に示す図
【図２】本発明の第１の実施形態における対象物選択方法を実施する携帯端末の構成を示すブロック図
【図３】本発明の第１の実施形態における対象物選択方法の動作を模式的に示す図
【図４】本発明の第１の実施形態における対象物データのデータ構成を示す図
【図５】本発明の第２の実施形態における対象物データの蓄積動作を模式的に示す図
【図６】本発明の第２の実施形態における対象物データの位置補正を行う端末の構成を示すブロック図
【図７】本発明の第２の実施形態における対象物形状データのデータ構成を示す図
【図８】本発明の第３の実施形態における対象物選択方法を模式的に示す図
【図９】本発明の第３の実施形態における対象物選択方法を実施する携帯端末の構成を示すブロック図
【図１０】従来の商品情報提供システムの構成を示すブロック図
【符号の説明】
１０  無線装置
１ｎ  無線装置
２０  ユーザ携帯端末
２１  無線送受信部
２２  商品情報要求手段
２３  商品場所要求手段
２４  記憶部
２５  表示部
３０  店舗端末
３１  商品情報検索手段
３２  商品場所検索手段
３３  注文受付手段
３４  データベース
３５  注文情報データベース
４０  ＬＡＮ
５０  ネットワーク
６０  商品
６１  ＲＦＩＤタグ
６２  対象物情報ＤＢ
６３  対象物情報送信手段
６４  展示台
６５  対象物形状ＤＢ
６６  対象物情報送受信手段
７０  携帯端末
７１  対象物情報受信手段
７２  対象物情報バッファ
７３  対象物３次元表示手段
７４  対象物選択手段
７５  選択対象物通知手段
７６  対象物識別子受信手段
７７  視点位置情報受信手段
７８  対象物３次元表示手段
８０  位置補正用端末
８１  対象物情報送受信手段
８２  対象物情報バッファ
８３  対象物３次元表示手段
８４  対象物位置データ修正手段
８５  対象物形状情報受信手段
９０  情報提供装置
１０１  送受信部
１０２  制御部
１０３  記憶部
１１０  携帯端末
１１１  ＲＦＩＤタグ
【図１】
2004152099.tif 000003
【図２】
2004152099.tif 000004
【図３】
2004152099.tif 000005
【図４】
2004152099.tif 000006
【図５】
2004152099.tif 000007
【図６】
2004152099.tif 000008
【図７】
2004152099.tif 000009
【図８】
2004152099.tif 000010
【図９】
2004152099.tif 000011
【図１０】
2004152099.tif 000012